(57)【要約】      （修正有）【課題】シートを視認することができる電子機器保護具であって、使用者の感性や目的に合わせてシートを選択して用いることができるオリジナルの電子機器保護具を提供する。【解決手段】電子機器保護具１００は、電子機器２００とシート１１０とを保護する。電子機器保護具１００は、電子機器２００とシート１１０とを重畳して覆う覆体を備え、覆体は、少なくとも１つの開口部を有し、少なくとも１つの開口部は、シート１１０が露出する位置に設けられている。【選択図】図２
0003170726.tif 000002
【実用新案登録請求の範囲】
【請求項１】
電子機器とシートとを保護する電子機器保護具であって、
前記電子機器と前記シートとを重畳して覆う覆体を備え、
前記覆体は、少なくとも１つの開口部を有し、
前記少なくとも１つの開口部は、前記シートが露出する位置に設けられている、電子機器保護具。
【請求項２】
前記電子機器の側面を覆うように嵌め込むことによって前記電子機器の角を保護する機器角保護具を更に備え、
前記機器角保護具は、前記電子機器から脱着可能であり、
前記機器角保護具は、前記覆体と前記シートとを挟み込む、請求項１に記載の電子機器保護具。
【請求項３】
前記シートを更に備える、請求項１又は請求項２に記載の電子機器保護具。
【請求項４】
前記覆体は、模様を有する、請求項１から請求項３に記載の電子機器保護具。
【考案の詳細な説明】
【技術分野】
【０００１】
本考案は、電子機器とシートとを保護する電子機器保護具に関する。
【背景技術】
【０００２】
通信技術の発展により、携帯し得る電子機器が汎用されている。携帯時の落下による電子機器の損傷を防ぐため、電子機器に電子機器保護具を装着することがある。特許文献１に記載の従来の電子機器保護具によれば、電子機器から電子機器保護具を剥がすことなく、電子機器保護具の開口部から電子機器を視認し、電子機器を操作し得る。
【先行技術文献】
【特許文献】
【０００３】
【特許文献１】実用新案登録第３１６８０９０号公報
【考案の概要】
【考案が解決しようとする課題】
【０００４】
しかし、特許文献１に記載の従来の電子機器保護具によれば、開口部からは被覆体（電子機器）しか視認できなかった。従って、使用者の感性や目的に合ったオリジナルの保護具を実現することはできなかった。
【０００５】
本考案は、被覆体に依存することなくシートを視認することができる保護具であって、使用者の感性や目的に合わせてシートを選択して用いることができるオリジナルの保護具を提供することを目的とする。
【課題を解決するための手段】
【０００６】
上記課題を解決するために、本考案に係る電子機器保護具は、電子機器とシートとを保護する電子機器保護具であって、電子機器とシートとを重畳して覆う覆体を備え、覆体は少なくとも１つの開口部を有し、少なくとも１つの開口部は、シートが露出する位置に設けられることを特徴とする。背景技術の項目で説明したように、従来の電子機器保護具は開口部を有しているものの、開口部からは電子機器しか視認できなかった。一方、本考案の電子機器保護具によれば、覆体が有する少なくとも１つの開口部は、シートが露出する位置に設けられている。よって、少なくとも１つの開口部からシートを視認することができる。その結果、使用者の感性や目的に合わせてシートを選択して用いることができるオリジナルの電子機器保護具を実現し得る。
【０００７】
本考案の電子機器保護具の好適な実施形態によれば、機器角保護具を更に備える。機器角保護具は、電子機器の第１辺と電子機器の第２辺とを覆うように嵌め込むことによって、電子機器の角を保護する。電子機器の第１辺とは、電子機器を操作する部分が設けられた電子機器の表面と電子機器の側面とによって形成された電子機器の１辺であり、電子機器の第２辺とは、電子機器の裏面と電子機器の側面とによって形成された電子機器の１辺である。機器角保護具は、電子機器から脱着可能であり、機器角保護具は、覆体とシートとを挟み込む。
【０００８】
本考案の電子機器保護具の好適な実施形態によれば、電子機器の側面を覆うように嵌め込むことによって電子機器の角を保護する機器角保護具を更に備え、機器角保護具は、電子機器から脱着可能であり、機器角保護具は、覆体とシートとを挟み込む。
【０００９】
本考案の電子機器保護具の好適な実施形態によれば、シートを更に備える。本考案の電子機器保護具の好適な実施形態によれば、覆体は、模様を有する。
【図面の簡単な説明】
【００１０】
【図１】本考案の実施形態に係る電子機器保護具を示す模式図である。
【図２】電子機器保護具の使用状態を示す写真である。
【図３】電子機器とシートとが電子機器保護具に挿入された後の状態を示す写真である。
【図４】複数の電子機器保護具を示す写真である。
【図５】複数の覆体を示す図である。
【考案を実施するための形態】
【００１１】
図１〜図５を参照して、本考案の電子機器保護具に関する実施形態を説明する。本考案は、以下に説明する実施形態や図面に記載される構成に限定されることを意図せず、当該構成と均等な構成も含む。
【００１２】
図１は、本考案の実施形態に係る電子機器保護具１００を示す模式図である。図２は、電子機器保護具１００の使用状態を示す写真である。図２は、覆われるべき対象（電子機器２００）が機器角保護具１２０に嵌め込まれる前の状態を示す。
【００１３】
電子機器保護具１００は、電子機器２００とシート１１０とを保護する。本考案の実施形態において、電子機器２００はスマートフォンであり、シート１１０は模様入り和紙である。スマートフォンは、音声通話以外に、インターネット接続、スケジュール管理、メモ機能など、ＰＤＡと同等の機能をもつ多機能型携帯電話である。
【００１４】
電子機器保護具１００は、電子機器２００とシート１１０とを畳重して覆う覆体１０２を備える。覆体１０２は矩形の黒色合成プラスチック（塩化ビニル）である。
覆体１０２は、４つの矩形開口部１０４（第１開口部１０４ａ、第２開口部１０４ｂ、第３開口部１０４ｃ、第４開口部１０４ｄ）と楕円形開口部１０５とを有する。開口部１０４は、シート１１０が露出する位置に設けられている。楕円形開口部１０５は、電子機器の機能（カメラ、操作画面等）を達成させるために設けられており、楕円形開口部１０５からシート１１０は露出していない。
【００１５】
電子機器保護具１００は、電子機器２００の側面を覆うように嵌め込むことによって電子機器２００の角を保護する機器角保護具１２０を更に備える。機器角保護具１２０の素材は合成プラスチック（塩化ビニル）、シリコーンゴム、ＡＢＳ樹脂材料等である。例えば、機器角保護具１２０は、電子機器２００の第１辺２４０と電子機器２００の第２辺２５０とを覆うように嵌め込まれる。電子機器２００の第１辺２４０とは、電子機器２００を操作する部分が設けられた電子機器２００の表面２１０と電子機器２００の側面２３０とによって形成された電子機器２００の１辺であり、電子機器２００の第２辺とは、電子機器２００の裏面２２０と電子機器２００の側面２３０とによって形成された電子機器２００の１辺である。機器角保護具１２０は、電子機器２００から脱着可能であり、機器角保護具１２０は、覆体１０２とシート１１０とを挟み込む。
【００１６】
機器角保護具１２０は、落下等による衝撃から電子機器２００を守るために、電子機器２００の第１辺２４０と電子機器２００の第２辺２５０とを覆うように嵌め込まれる。機器角保護具１２０は電子機器２００から脱着可能であり、覆体１０２とシート１１０とを挟み込む。電子機器２００は機器角保護具１２０によってしっかりグリップされる。従って、覆体１０２とシート１１０とがずれることなく、電子機器２００を保護することができる。
【００１７】
図３は、電子機器２００とシート１１０とが電子機器保護具１００に挿入された後の状態を示す。
【００１８】
本考案の電子機器保護具によれば、覆体が有する少なくとも１つの開口部は、シートが露出する位置に設けられている。よって、少なくとも１つの開口部からシートを視認することができる。その結果、使用者の感性や目的に合わせてシートを選択して用いることができるオリジナルの電子機器保護具を実現し得る。
【００１９】
本考案の実施形態に係る電子機器保護具１００によれば、電子機器の第１辺と電子機器の第２辺とを覆うように嵌め込む機器角保護具を更に備える。機器角保護具は電子機器から脱着可能であり、覆体とシートとを挟み込む。従って、覆体とシートとがずれることなく、電子機器を保護することができる。
【００２０】
本考案の実施形態では、機器角保護具が覆体とシートとを挟み込む形態を説明したが、開口部を有する覆体が電子機器とシートとを畳重して覆い、開口部が、シートが露出する位置に設けられている限りは、機器角保護具が覆体とシートとを挟み込む形態に限定されない。例えば、電子機器にシートを貼り、更に覆体をシートの上に貼る形態も、本考案に含まれる。又、電子機器にシートを貼り、更に覆体をシートの上に貼る形態であっても、覆体とシートとを剥がした後に別のシートを貼り、更に覆体をシートの上に貼り得る場合は、電子機器に依存することなく使用者の感性や目的に合わせてシートを選択して用いることができ、オリジナルの電子機器保護具を実現し得る。
【００２１】
本考案の実施形態に係る電子機器保護具は、スマートフォン用保護具として機能するが、本考案の実施形態に係る電子機器保護具は、これらに限定されない。開口部からシートが視認し得る限りは、電子機器は任意であり、例えば、携帯電話などの携帯通信端末、携帯ゲーム機又はノートパソコンを選択し得る。従って、本考案の実施形態に係る電子機器保護具は携帯電話用保護具などの携帯通信端末用保護具、携帯ゲーム機用保護具又はノートパソコン用保護具としても機能し得る。
【００２２】
以上、図１〜図３を参照して、本考案の実施形態を説明した。実施形態に係る電子機器保護具によれば、覆体が有する少なくとも１つの開口部は、シートが露出する位置に設けられている。よって、少なくとも１つの開口部からシートを視認することができる。その結果、電子機器に依存することなくシートを視認することができる電子機器保護具を実現し得る。
【００２３】
本考案の実施形態では、シートの形状は矩形であり、シートの素材は和紙であり、シートの模様は単純模様であったが、本考案はこれらに限定されない。シートの形状は、覆体が有する開口部から視認し得る限りは任意であり得る。シートの形状は、多角形状や円形状であり得る。シートの素材は、プラスチック、布、金属であり得る。シートの模様は、任意の模様であり得る。例えば、着物に付されるような和風模様、又はエスニック風模様であり得る。図４は、複数の電子機器保護具（第１電子機器保護具４００ａ、第２電子機器保護具４００ｂ、第３電子機器保護具４００ｃ、第４電子機器保護具４００ｄ）を示す写真である。複数の電子機器保護具の各々には、異なった模様を付したシートが対応している。
【００２４】
本考案の実施形態では、覆体１０２が有する開口部１０４の形状は矩形であり、覆体１０２の縦に４列、覆体１０２の横に１行で並んでいたが、本考案では、開口部１０４からシート１１０が視認し得る限りは開口部１０４の形状及び開口部の個数は任意である。図５は、複数の覆体（覆体ａ、覆体ｂ、覆体ｃ）を示す。図５（ａ）は、覆体ａを示す写真である。覆体ａが有する複数の矩形開口部は、覆体ａの縦に６列、覆体ａの横に５行で並んでいる。図５（ｂ）は、覆体ｂを示す模式図である。覆体ｂが有する複数の三角形状開口部は、覆体ｂの縦に３列、覆体ｂの横に３行並んでいる。図５（ｃ）は、覆体ｃを示す模式図である。覆体ｃは、２つの三角形状開口部と２つの台形状開口部とを有する。
【００２５】
本考案の実施形態では、覆体１０２の形状は矩形であり、覆体の色は黒であり、覆体の素材は合成プラスチック（塩化ビニル）であったが、本考案はこれらに限定されない。例えば、覆体１０２の形状は、矩形以外の形状（多角形、円形等）であり得る。覆体１０２の色も任意であり、白、赤、鏡調の色、木目調の色、更にはシルバー等の金属調の色等、様々な色であり得る。
【００２６】
覆体１０２には、様々な意匠（例えば模様）を印刷することができる。例えばＵＶ硬化性インクで、凹凸を有する柄を印刷する等の方法が装飾的により効果がある。
【００２７】
覆体１０２の表面に印刷された意匠柄は、シート１１０の意匠（例えば模様）との組合せにより電子機器２００全体の意匠を引き立たせることができる。覆体１０２の表面に印刷した様々な意匠柄とシート１１０の様々な柄との組合せを選択する楽しみを提供することが出来る。
【００２８】
なお、覆体に模様を付する方法は、印刷による方法に限定されない。覆体に模様が付される限りは、覆体に模様を付する方法は金型への押し付けやエンボス加工に基づく方法であり得る。
【００２９】
また、覆体１０２の素材はアクリル、布、紙、金属であり得る。更に、覆体１０２の素材が電子機器２００の素材より強い場合は、外部からの衝撃による電子機器２００の変形、損壊を防ぎ得る。
【産業上の利用可能性】
【００３０】
本考案の電子機器保護具は、使用者の感性や目的に合わせてシートを選択して用いることができる電子機器保護具に利用可能である。
【符号の説明】
【００３１】
１００    電子機器保護具
１０２    覆体
１０４    開口部
１０４ａ  第１開口部
１０４ｂ  第２開口部
１０４ｃ  第３開口部
１０４ｄ  第４開口部
１０５    楕円形開口部
１１０    シート
１２０    機器角保護具
２００    電子機器
２１０    電子機器の表面
２２０    電子機器の裏面
２３０    電子機器の側面
２４０    電子機器の第１辺
２５０    電子機器の第２辺
【図１】
0003170726.tif 000003
【図２】
0003170726.tif 000004
【図３】
0003170726.tif 000005
【図４】
0003170726.tif 000006
【図５】
0003170726.tif 000007
【手続補正書】
【提出日】平成23年7月21日(2011.7.21)
【手続補正１】
【補正対象書類名】実用新案登録請求の範囲
【補正対象項目名】全文
【補正方法】変更
【補正の内容】
【実用新案登録請求の範囲】
【請求項１】
電子機器とシートとを保護する電子機器保護具であって、
前記電子機器と前記シートとを重畳して覆う覆体を備え、
前記覆体は、少なくとも１つの開口部を有し、
前記少なくとも１つの開口部は、前記シートが露出する位置に設けられている、電子機器保護具。
【請求項２】
前記電子機器の側面を覆うように嵌め込むことによって前記電子機器の角を保護する機器角保護具を更に備え、
前記機器角保護具は、前記電子機器から脱着可能であり、
前記機器角保護具は、前記覆体と前記シートとを挟み込む、請求項１に記載の電子機器保護具。
【請求項３】
前記シートを更に備える、請求項１又は請求項２に記載の電子機器保護具。
【請求項４】
前記覆体は、模様を有する、請求項１から請求項３のいずれか一項に記載の電子機器保護具。